(57)【要約】【課題】スライドベース部材にレーザー光源や光学部品などを組み込んで構成される光ピックアップ装置において、三次元方向の位置合わせを容易に行うことを可能にするレーザーホルダおよび光ピックアップ調整装置を提供する。【解決手段】レーザー光源ＬＤを保持するレーザー光源保持部２Ｃと第１係合部２Ａと第２係合部２Ｂとを有し、第１係合部２Ａが、上下方向に直交する平面方向の回転を規制する回転規制部を有し、第２係合部２Ｂが、上下方向に直交する前後方向の一方向案内ガイド部を有する構成のレーザーホルダ２とした。また、第１係合部２Ａに係合する第１チャック部Ｈ１と、第２係合部２Ｂに係合する第２チャック部Ｈ２とを備え、これらの第１および第２チャック部を介して、レーザーホルダ２を挟持する構成の光ピックアップ調整装置ＨＲとした。【選択図】図１Ａ
2014044763.tif 000002
【特許請求の範囲】
【請求項１】
スライドベース部材にレーザー光源およびこのレーザー光源から出射される光を所定方向に導く光学部品を組み込んで構成される光ピックアップにおいて、前記レーザー光源を装着する際に用いるレーザーホルダであって、
前記レーザー光源を保持するレーザー光源保持部と、当該ホルダ本体の上下および前後左右方向の変位を規制すると共に回転方向の変位も規制することで三次元方向の位置決めを可能にする係合部を備えたことを特徴とするレーザーホルダ。
【請求項２】
前記係合部は、当該ホルダ本体の上下の面であって前記レーザー光源保持部を挟む上下にそれぞれ設けられる第１係合部と第２係合部とを有し、第１係合部が、前記上下方向に直交する平面方向の回転を規制する回転規制部を有し、第２係合部が、前記上下方向に直交する前後方向の一方向案内ガイド部を有することを特徴とする請求項１に記載のレーザーホルダ。
【請求項３】
第１係合部は、円錐台状に突出した係合凸部と、この係合凸部の中央部に沿って直線状に形成される係合溝部とを備えることを特徴とする請求項２に記載のレーザーホルダ。
【請求項４】
前記係合溝部の深さは、前記係合凸部の高さよりも深く形成されていることを特徴とする請求項３に記載のレーザーホルダ。
【請求項５】
第２係合部は、前記一方向案内ガイド部として、当該一方向に延設される平行凸部と、この平行凸部の前方に形成される先細の案内ガイド部を有することを特徴とする請求項２から４のいずれかに記載のレーザーホルダ。
【請求項６】
請求項１から５のいずれかに記載のレーザーホルダの位置を調整するために用いる光ピックアップ調整装置であって、
前記係合部に係合するチャック部を備え、該チャック部を介して、前記レーザーホルダを挟持すると共に、
前記チャック部は、前記レーザーホルダに設ける第１係合部に係合する第１チャック部と、第２係合部に係合する第２チャック部とを備え、これらの第１および第２チャック部が、接離自在とされ、これらの第１および第２チャック部を介して、前記レーザーホルダを挟持することを特徴とする光ピックアップ調整装置。
【請求項７】
第１チャック部は、前記レーザーホルダに設ける係合突部に係合する円筒係合部と、前記係合凸部の中央部に中心線に沿って直線状に形成される係合溝部に係合する回転規制部を備えたことを特徴とする請求項６に記載の光ピックアップ調整装置。
【請求項８】
前記回転規制部は、前記円筒係合部の中央空隙部に挿通可能な円柱状軸部と、その先端部に形成される断面三角状に尖った先端係合部とを備え、前記円筒係合部に対して接離自在とされることを特徴とする請求項７に記載の光ピックアップ調整装置。
【請求項９】
第２チャック部は、前記平行凸部の幅に応じた間隙を有する二股のフォーク部を備えることを特徴とする請求項６から８のいずれかに記載の光ピックアップ調整装置。
【発明の詳細な説明】
【技術分野】
【０００１】
本発明は、光ディスクにレーザー光を照射してデータの記録又は再生を行う光ピックアップに関し、特に、レーザー光源の取付け位置を容易に調整可能にするレーザーホルダおよび光ピックアップ調整装置に関する。
【背景技術】
【０００２】
従来、ブルーレイディスク（以下ＢＤと記載）、デジタル多用途ディスク（以下ＤＶＤと記載）、コンパクトディスク（以下ＣＤと記載）等の光ディスクに対して、情報を読み取ったり、情報を書き込んだりする目的でレーザー光を用いた光ピックアップが使用されている。この光ピックアップには、レーザー光源と、光源から出射される光を光ディスクの情報記録面に集光するための対物レンズと、光ディスクで反射される反射光（戻り光）を受光する光検出器（ＰＤＩＣ）と、が含まれる。
【０００３】
また、光ピックアップによって、光ディスクの情報を読み取ったり、光ディスクに情報を書き込んだりする場合には、対物レンズによって集光される光スポットの位置は、次のように制御される。第１に、対物レンズによって集光される光スポットが、光ディスクの情報記録面上に常に存在するように制御（フォーカシング制御）される。第２に、対物レンズによって情報記録面上に集光された光スポットが、光ディスクに形成されるトラックに常に追従するように制御（トラッキング制御）される。
【０００４】
光ピックアップにおいては、光検出器から出力される信号に基づいて、光スポットと情報記録面（目標の情報記録面）とのズレ量を表すフォーカスエラー（ＦＥ）信号と、光スポットとトラック（目標のトラック）とのズレ量を表すトラッキングエラー（ＴＥ）信号とが算出されるようになっている。そして、ＦＥ信号に基づいて対物レンズのフォーカス方向の位置を動かす制御（フォーカシング制御）が行われ、ＴＥ信号に基づいて対物レンズのトラッキング方向の位置を動かす制御（トラッキング制御）が行われる。
【０００５】
なお、フォーカス方向は、光ディスクの情報記録面に略垂直な方向であり、トラッキング方向は、光ディスクのトラック（情報記録面に同心円状又は螺旋状に形成される）に略垂直な方向（トラックを横断する方向）である。
【０００６】
また、光ディスクからの戻り光を回折光学素子によって複数の光に分けて光検出器で受光し、ＴＥ信号を得る構成の光ピックアップが既に提案されている。
【０００７】
このような構成の光ピックアップでは、レーザー光源や光検出器の取り付け精度が十分確保できない場合に、適切なＴＥ信号が得られないといった問題が生じる。例えば、レーザー光源の位置がずれると、読取用素子に入る受光量が増減し、信号レベルが変動して読取誤差が生じることがある。また、光検出器の位置がずれると、回折光学素子で回折された回折光が光検出器に落ちる位置が変動して、適切なＴＥ信号が得られなくなる。
【０００８】
そのために、レーザー光源や対物レンズなどの光学部品をスライドベース部材に組み込む際には、これらの組み付け位置と組み付け姿勢を正しく調整して精度よく組み込むことが肝要である。
【０００９】
例えば、レーザー光源の固定位置を安定させるために、ホルダに位置決め突起を設け、この位置決め突起に基準面と傾斜面とを設け、レーザー光源のパッケージの鍔部に位置決め用凹部を設けて、この位置決め用凹部の内側面を基準面に合致させて、レーザー光源を固定する光ピックアップが既に提案されている（例えば、特許文献１参照）。
【００１０】
また、対物レンズを対物レンズホルダに押さえつける押圧部を備えた対物レンズ取付治具を用いて、対物レンズ精度よく取り付ける構成とした対物レンズ取付治具および対物レンズホルダが既に提案されている（例えば、特許文献２参照）。
【先行技術文献】
【特許文献】
【００１１】
【特許文献１】特開２００９−２６４１７号公報
【特許文献２】特開２００３−２２３７３９号公報
【発明の概要】
【発明が解決しようとする課題】
【００１２】
レーザー光源や光学部品をスライドベース部材に組み込む際には、これらの組み付け精度は三次元方向に高精度であることが望まれる。そのために、上記特許文献１に記載されているように、基準面に位置決め凹部の内側面を当接させて位置調整するだけでは、二次元方向に対して位置合わせすることはできても、三次元方向に沿って正しく位置合わせすることは困難である。
【００１３】
また、三次元方向に位置合わせする際には、レーザー光源などを取り付けたホルダ部材を、組み込むスライドベース部材に対して空中保持した状態になる場合が想定されるので、空中保持して三次元方向に容易に調整可能なレーザーホルダおよび光ピックアップ調整装置であることが望まれる。
【００１４】
特に、小型でコンパクトな構成の光ピックアップのスライドベース部材に対して、小型のレーザー光源や光学部品などを高精度に組み付ける際には、調整装置により三次元のいずれの方向にもずれないように保持できることが望ましく、調整装置により把持したまま三次元方向に容易に位置合わせ可能であることが望まれる。
【００１５】
本発明は、上記問題点に鑑み、スライドベース部材にレーザー光源や光学部品などを組み込んで構成される光ピックアップ装置において、三次元方向の位置合わせを容易に行うことを可能にするレーザーホルダおよび光ピックアップ調整装置を提供することを目的とする。
【課題を解決するための手段】
【００１６】
上記目的を達成するために本発明は、スライドベース部材にレーザー光源およびこのレーザー光源から出射される光を所定方向に導く光学部品を組み込んで構成される光ピックアップにおいて、前記レーザー光源を装着する際に用いるレーザーホルダであって、前記レーザー光源を保持するレーザー光源保持部と、当該ホルダ本体の上下および前後左右方向の変位を規制すると共に回転方向の変位も規制することで三次元方向の位置決めを可能にする係合部を備えたことを特徴としている。
【００１７】
この構成によると、レーザー光源を保持するレーザーホルダに設ける係合部を光ピックアップ調整装置を介して挟持することにより、上下前後左右方向に加えて回転方向の変位も規制することにより三次元方向の変位を規制できる。すなわち、本発明によれば、三次元方向の位置合わせを容易に行うことを可能にするレーザーホルダを得ることができる。
【００１８】
また本発明は、上記構成のレーザーホルダにおいて、前記係合部は、当該ホルダ本体の上下の面であって前記レーザー光源保持部を挟む上下にそれぞれ設けられる第１係合部と第２係合部とを有し、第１係合部が、前記上下方向に直交する平面方向の回転を規制する回転規制部を有し、第２係合部が、前記上下方向に直交する前後方向の一方向案内ガイド部を有することを特徴としている。この構成によると、レーザー光源を保持するレーザーホルダの上下に設ける第１、第２係合部を光ピックアップ調整装置を介して挟持することにより、上下方向の位置を規制できる。また、第１係合部の回転規制部を介して上下方向に直交する平面方向の回転を規制でき、第２係合部の一方向案内ガイド部を介して上下方向に直交する前後方向の位置ずれを抑制できる。
【００１９】
また本発明は、上記構成のレーザーホルダにおいて、第１係合部は、円錐台状に突出した係合凸部と、この係合凸部の中央部に沿って直線状に形成される係合溝部とを備えることを特徴としている。この構成によると、円錐台状の係合凸部に当接する円筒状の位置調整部材を用いることで、レーザーホルダの上下方向の傾きを規制できる。また、係合溝部に係合する位置調整部材を用いることで、係合突部の回転を抑制して、レーザーホルダの上下方向に直交する平面方向の回転を規制できる。
【００２０】
また本発明は、上記構成のレーザーホルダにおいて、前記係合溝部の深さは、前記係合凸部の高さよりも深く形成されていることを特徴としている。この構成によると、係合溝部に位置調整部材の尖った先端部を深く挿入して、回転方向のずれをより確実に規制できる。
【００２１】
また本発明は、上記構成のレーザーホルダにおいて、第２係合部は、前記一方向案内ガイド部として、当該一方向に延設される平行凸部と、この平行凸部の前方に形成される先細の案内ガイド部を有することを特徴としている。この構成によると、平行凹部に係合するフォーク状の位置調整部材を用いることでレーザーホルダの一方向に直交する左右方向の位置ずれを規制できる。
【００２２】
また本発明は、上記構成のレーザーホルダの位置を調整するために用いる光ピックアップ調整装置であって、前記係合部に係合するチャック部を備え、該チャック部を介して、前記レーザーホルダを挟持すると共に、前記チャック部は、前記レーザーホルダに設ける第１係合部に係合する第１チャック部と、第２係合部に係合する第２チャック部とを備え、これらの第１および第２チャック部が、接離自在とされ、これらの第１および第２チャック部を介して、前記レーザーホルダを挟持することを特徴としている。この構成によると、第１および第２チャック部を介して、レーザーホルダの上下を挟持することで、上下方向に加えた、この上下方向に直交する平面方向の回転規制と、前記上下方向に直交する前後方向の規制とを同時に行うことができ、レーザーホルダを三次元方向に容易に調整可能にする光ピックアップ装置を得ることができる。
【００２３】
また本発明は、上記構成の光ピックアップ調整装置において、第１チャック部は、前記係合突部に係合する円筒係合部と、前記係合溝部に係合する回転規制部を備えたことを特徴としている。この構成によると、円筒係合部を介して円錐台状に突出した係合凸部に平行に当接して上下方向の平行度を出すことができ、回転規制部を係合溝部に係合させることにより、この上下方向に直交する平面方向の回転を規制できる。
【００２４】
また本発明は、上記構成の光ピックアップ調整装置において、前記回転規制部は、前記円筒係合部の中央空隙部に挿通可能な円柱状軸部と、その先端部に形成される断面三角状に尖った先端係合部とを備え、前記円筒係合部に対して接離自在とされることを特徴としている。この構成によると、断面三角状に尖った先端係合部を係合溝部に容易に、また確実に係合させることができる。
【００２５】
また本発明は、上記構成の光ピックアップ調整装置において、第２チャック部は、前記平行凸部の幅に応じた間隙を有する二股のフォーク部を備えることを特徴としている。この構成によると、この光ピックアップ調整装置の第２チャック部を平行凸部に容易に差し込むことができる。
【発明の効果】
【００２６】
本発明によれば、三次元方向の位置合わせを容易に行うことを可能にするレーザーホルダおよび光ピックアップ調整装置を得ることができる。
【図面の簡単な説明】
【００２７】
【図１Ａ】本発明に係るレーザーホルダを備えた光ピックアップの構成を示す概略平面図である。
【図１Ｂ】光ピックアップの概略側面図である。
【図２】光ピックアップの光学構成の一例を示す概略平面図である。
【図３】レーザーホルダを光ピックアップ調整装置を用いて挟持した状態を示す概略説明図である。
【図４】第１係合部と第１チャック部とが係合した状態を示す一部断面図である。
【図５】レーザーホルダの背面図である。
【図６】レーザーホルダの平面図である。
【図７】レーザーホルダの底面図である。
【図８】第１チャック部が備える円筒係合部の一例を示す斜視図である。
【発明を実施するための形態】
【００２８】
以下に本発明の実施形態を図面を参照して説明する。また、同一構成部材については同一の符号を用い、詳細な説明は適宜省略する。まず、図１Ａ、図１Ｂを用いて、光ピックアップの一例について説明する。図１Ａは本実施形態に係る光ピックアップの構成を示す概略平面図であり、図１Ｂは、図１Ａの矢印Ｌに沿って見た概略側面図である。
【００２９】
本実施形態の光ピックアップ１は、光ディスクＤにレーザー光を照射してデータの記録又は再生を行う装置であって、例えば、図１Ａに示すように、スライドベース部材１０と、スライドベース部材１０上に固定配置される対物レンズアクチュエータ３０を備えている。
【００３０】
スライドベース部材１０には、光ピックアップ１が備えるレーザー光源や光学部材が搭載される。また、スライドベース部材１０の左右の端部には軸受け部１０ａ、１０ｂが設けられている。スライドベース部材１０は、この軸受け部１０ａ、１０ｂによって、光ディスク装置（光ディスクＤの再生や記録を行うための装置）に設けられるガイドシャフト１００に摺動可能に支持されることになる。光ディスク装置に設けられるガイドシャフト１００は、光ディスクの半径方向（ラジアル方向；Ｒａｄ方向）に延びるように配置される。ガイドシャフト１００に対して摺動可能な光ピックアップ１は、回転する光ディスクＤの所望のアドレスにアクセスして情報の読み取りや書き込みを行うことができる。
【００３１】
対物レンズアクチュエータ３０は、光ピックアップ１に備えられる対物レンズ、例えば、２つの対物レンズ１６、２０をフォーカス方向及びトラッキング方向（Ｒａｄ方向と同じ方向）に移動可能とする装置である。
【００３２】
光ピックアップ１においては、情報の読み取りや書き込みを行う際に、対物レンズ１６（或いは対物レンズ２０）の焦点位置が常に光ディスクＤの情報記録面ＲＳ（図１Ｂ参照）に合うようにフォーカシング制御を行う必要がある。また、光ピックアップ１においては、情報の読み取りや書き込みを行う際に、対物レンズ１６（或いは対物レンズ２０）によって光ディスクＤの情報記録面ＲＳに集光される光スポットの位置が、光ディスクＤのトラックに常に追随するようにトラッキング制御を行う必要がある。対物レンズアクチュエータ３０は、例えば、これらフォーカシング制御及びトラッキング制御を行う際に駆動される。
【００３３】
なお、対物レンズアクチュエータ３０は、対物レンズ１６、２０を保持するレンズホルダ３１を有し、レンズホルダ３１をワイヤ３２で揺動可能に支持する構成のものである。そして、コイル及び磁石を利用して発生させた力でレンズホルダ３１（対物レンズ１６、２０）を動かすものである。このようなタイプの対物レンズアクチュエータは公知であるので、ここでは、詳細な説明は省略する。
【００３４】
図２は、本実施形態に係る光ピックアップ１の光学構成を示す概略説明図である。光ピックアップ１には、第１の光源１１から出射される光を光ディスクＤに導くとともに、光ディスクＤで反射される反射光（戻り光）を光検出部２３に導く、ＢＤ用の光路が形成されている。また、光ピックアップ１には、第２の光源１７から出射される光を光ディスクＤに導くとともに、光ディスクＤで反射される反射光（戻り光）を光検出部２３に導く、ＤＶＤ用の光路が形成されている。
【００３５】
なお、光ピックアップ１においては、複数の光学部材が、ＢＤ用の光路とＤＶＤ用の光路とで共用される構成となっている。すなわち、光ピックアップ１は、ＢＤ対応の場合とＤＶＤ対応の場合とで共通に利用する光路を有する構成となっている。また、光ピックアップ１においては、光検出部２３もＢＤ対応の場合とＤＶＤ対応の場合とで共用される。このような構成を採用しているため、光ピックアップ１は、ＢＤ及びＤＶＤに対応する光ピックアップを少ない部品点数で形成可能となっている。
【００３６】
まず、ＢＤ用の光路について説明する。第１の光源１１は、ＢＤ用のレーザー光（例えば波長４０５ｎｍ帯のレーザー光）を出射可能となっている。第１の光源１１から出射されたレーザー光は、偏光ビームスプリッタ１２に送られる
【００３７】
偏光ビームスプリッタ１２は、第１の光源１１から出射されたＳ偏光（直線偏光の一例であり、これに限定される趣旨ではない）のレーザー光を反射する。偏光ビームスプリッタ１２で反射されたレーザー光は、１／４波長板１３で円偏光に変換される。１／４波長板１３から出射されたレーザー光は、コリメートレンズ１４を透過後、第１の立ち上げミラー１５で反射される。第１の立ち上げミラー１５で反射されたレーザー光は、第１の立ち上げミラー１５の上方にある第１の対物レンズ１６へと至る。第１の対物レンズ１６は、入射したレーザー光を光ディスクＤの情報記録面ＲＳに集光する機能を有する。
【００３８】
第１の対物レンズ１６によって情報記録面ＲＳに集光された後、情報記録面ＲＳで反射された反射光（戻り光）は、第１の対物レンズ１６を通過後、第１の立ち上げミラー１５で反射される。そして、戻り光は、コリメートレンズ１４を通過し、１／４波長板１３でＰ偏光に変換されて偏光ビームスプリッタ１２を透過する。ビームスプリッタ１８を通過した戻り光は、回折光学素子２１と、シリンドリカル面を含むセンサーレンズ２２と、からなるセンサー光学系を介して光検出器２３へと集光される。
【００３９】
光検出器２３は、受光した光信号を電気信号に変換する光電変換手段として機能する。なお、この光検出器２３は本発明の光検出部の一例である。光検出器２３から出力された電気信号は、信号処理部２４に送られる。信号処理部２４においては、再生信号、ＦＥ信号、ＴＥ信号等が生成される。
【００４０】
次に、ＤＶＤ用の光路について説明する。第２の光源１７は、ＤＶＤ用のレーザー光（例えば例えば波長６５０ｎｍ帯のレーザー光）を出射可能となっている。この第２の光源１７から出射されたレーザー光は、ビームスプリッタ１８に送られる。
【００４１】
ビームスプリッタ１８は、入射したレーザー光の一部を反射し、一部を透過する。ビームスプリッタ１８で反射されたレーザー光は、偏光ビームスプリッタ１２、１／４波長板１３、コリメートレンズ１４を通過する。なお、偏光ビームスプリッタ１２は、ＢＤ用のレーザー光に作用する光学部材であり、ＤＶＤ用のレーザー光は、その偏光状態に関わらず透過する。
【００４２】
第１の立ち上げミラー１５はダイクロイックミラーであり、ＢＤ用のレーザー光は反射されるが、ＤＶＤ用のレーザー光は透過可能となっている。このため、第２の光源１７から出射されてコリメートレンズ１４を通過したレーザー光は、第１の立ち上げミラー１５も透過する。第１の立ち上げミラー１５を透過したレーザー光は、第２の立ち上げミラー１９で反射される。第２の立ち上げミラー１９で反射されたレーザー光は、第２の立ち上げミラー１９の上方にある第２の対物レンズ２０へと至る。第２の対物レンズ２０は、入射したレーザー光を光ディスクＤの情報記録面ＲＳに集光する機能を有する。
【００４３】
第２の対物レンズ２０によって情報記録面ＲＳに集光された後、情報記録面ＲＳで反射された反射光（戻り光）は、第２の対物レンズ２０を通過後、第２の立ち上げミラー１９で反射される。そして、戻り光は、第１の立ち上げミラー１５、コリメートレンズ１４、１／４波長板１３、偏光ビームスプリッタ１２を通過する。その後、ビームスプリッタ１８を通過した戻り光は、回折光学素子２１と、シリンドリカル面を含むセンサーレンズ２２と、からなるセンサー光学系を介して光検出器２３へと集光される。光検出器２３は、光電変換を行って電気信号を信号処理部２４に送り、信号処理部２４は、再生信号、ＦＥ信号、ＴＥ信号等を生成する。
【００４４】
なお、コリメートレンズ１４は、光軸方向Ｍ（図２の左右方向）に移動可能となっており、その位置は、対応する光ディスクＤの種類やレイヤージャンプ等に応じて適宜移動される。これにより、対物レンズ１６、２０に入射する光の収束・発散度合いを調節でき、球面収差の影響を適切に抑制することが可能となっている。また、回折光学素子２１はＴＥ信号を生成可能とするために設けられている。
【００４５】
また、センサーレンズ２２にシリンドリカル面を設けて非点収差が与えられるように構成しているのは、公知の非点収差法を用いてＦＥ信号が生成できるようにするためである。また、信号処理部２４で生成されたＦＥ信号及びＴＥ信号に基づいて、光ピックアップ装置１の動作を制御する制御部（図示せず）は、フォーカシング制御及びトラッキング制御を行うべく、対物レンズアクチュエータ３０の駆動を制御する。
【００４６】
上記したように、本実施形態に係る光ピックアップ１は、光ディスクＤからの戻り光を回折光学素子２１によって複数の光に分けて光検出器２３で受光し、ＦＥ信号及びＴＥ信号を得るようにしている。そのために、第１の光源１１および第２の光源１７が出射する光を導く光学系や、戻り光を光検出器２３に導くセンサー光学系は、対物レンズから光検出器２３に至る所定の光軸に対して、その組み付け位置と組み付け姿勢を正しく調整しておくことが望まれる。
【００４７】
そのために、本実施形態においては、高精度に位置合わせすることが望まれるレーザー光源を、所定の機能を有するレーザーホルダ２に装着して、組付け時に三次元方向に容易に位置調整できるようにしたものである。
【００４８】
次に、図３〜図７を用いて本実施形態に係るレーザーホルダ２について、また、このレーザーホルダ２を光ピックアップ調整装置ＨＲを用いた位置調整する機構について説明する。図３は、レーザーホルダ２を光ピックアップ調整装置ＨＲを用いて挟持した状態を示す概略説明図であり、図４は、第１係合部２Ａと第１チャック部Ｈ１（Ｈ１１とＨ１２）とが係合した状態を示す一部断面図である。図５はレーザーホルダ２の背面図であり、図６はレーザーホルダ２の平面図であり、図７はレーザーホルダ２の底面図である。
【００４９】
本実施形態では、例えば、レーザー光源ＬＤ（例えば、第２の光源１７）をレーザーホルダ２を用いてスライドベース部材１０に組み込む構成としている。また、レーザーホルダ２は、レーザー光源ＬＤを保持するレーザー光源保持部と、当該ホルダ本体の上下および前後左右方向の変位を規制すると共に回転方向の変位も規制することで三次元方向の位置決めを可能にする係合部を備えた構成とされる。
【００５０】
例えば、図３に示すように、レーザーホルダ２の本体中央部にレーザー光源ＬＤを保持する（例えば接着固定による、もしくは、嵌め込み構成であってもよい）レーザー光源保持部２Ｃを備えており、当該ホルダ本体の上下の面に、光ピックアップ調整装置ＨＲに設けるチャック部が係合する第１および第２の係合部を有する構成としている。
【００５１】
すなわち、光ピックアップ調整装置ＨＲはレーザーホルダ２を挟持するチャック部として、図示する上側に第１チャック部Ｈ１を備え、下側に第２チャック部Ｈ２を備えて、これらを用いてレーザーホルダ２を上下から挟持して三次元方向の位置を調整する構成である。また、レーザーホルダ２は、そのホルダ本体の上下の面に、第１チャック部Ｈ１が係合する第１係合部２Ａと、第２チャック部Ｈ２が係合する第２係合部２Ｂをそれぞれ備えている。
【００５２】
上記したように、光ピックアップ調整装置ＨＲは、第１係合部２Ａに係合する第１チャック部Ｈ１と、第２係合部２Ｂに係合する第２チャック部Ｈ２とを備え、これらの第１および第２チャック部が、接離自在とされ（接離自在とする構成については後述する）、これらの第１および第２チャック部を介して、レーザーホルダ２を挟持する。
【００５３】
レーザーホルダ２は、スライドベース部材１０にレーザー光源ＬＤを組み込むために用いるホルダ部材であって、レーザー光源ＬＤを保持するレーザー光源保持部２Ｃと、当該ホルダ本体の上下の面であってレーザー光源保持部２Ｃを挟む上下にそれぞれ設けられる第１係合部２Ａと第２係合部２Ｂとを有し、第１係合部２Ａが、上下方向に直交する平面方向の回転を規制する回転規制部を有し、第２係合部２Ｂが、上下方向に直交する前後方向の一方向案内ガイド部を有する構成としている。
【００５４】
第１係合部２Ａは、図４に示すように、例えば円錐台状に突出した係合凸部２Ａａと、この係合凸部２Ａａの中央部に沿って直線状に（すなわち、係合凸部２Ａａの直径方向に）形成される係合溝部２Ａｂとを備える構成としている。この構成であれば、円錐台状の係合凸部２Ａａに当接する円筒状の位置調整部材を用いることで、レーザーホルダ２の上下方向の傾きを規制できる。また、係合溝部２Ａｂに係合する位置調整部材を用いることで、係合凸部２Ａａの回転方向の変位を抑制し、レーザーホルダ２の上下方向に直交する平面方向の回転を規制できる。
【００５５】
係合溝部２Ａｂの深さは、係合凸部２Ａａの高さよりも深く形成されていることが好ましい。この構成であれば、係合溝部２Ａｂに位置調整部材の尖った先端部を深く挿入して、回転方向のずれや変位をより確実に規制できる。例えば、図６の平面図に示すように、係合凸部２Ａａの基底幅よりも長い幅Ｗの係合溝部２Ａｂを形成することにより、係合凸部２Ａａが設けられている上面２ａよりも深い溝部を容易に形成できる。
【００５６】
また、第２係合部２Ｂは、図７に示すように、一方向案内ガイド部として、当該一方向に延設される平行凸部２Ｂａと、この平行凸部２Ｂａの前方に形成される先細の案内ガイド部２Ｂｂを有する構成としている。この構成であれば、平行凹部２Ｂａに係合するフォーク状の位置調整部材を用いることでレーザーホルダ２の一方向に直交する左右方向の位置ずれを規制できる。
【００５７】
次に、光ピックアップ調整装置ＨＲの実施形態について図３、図４、図８を用いて詳細に説明する。
【００５８】
本実施形態に係る光ピックアップ調整装置ＨＲは、レーザーホルダ２を把持して三次元方向に変位可能とされ、レーザーホルダ２が保持するレーザー光源ＬＤの配設位置を三次元方向に調整するために用いる光ピックアップ調整装置ＨＲである。また、前述したレーザーホルダ２の第１係合部２Ａに係合する第１チャック部Ｈ１と、第２係合部２Ｂに係合する第２チャック部Ｈ２とを備え、これらの第１および第２チャック部が、接離自在とされ、これらの第１および第２チャック部を介して、レーザーホルダ２を図３に示すように挟持する。この構成であれば、第１チャック部Ｈ１および第２チャック部Ｈ２を介して、レーザーホルダ２の上下を挟持すると共に、上下方向に加えて、この上下方向に直交する平面方向の回転規制と、当該上下方向に直交する前後方向の規制とを同時に行うことができ、レーザーホルダ２を三次元方向に容易に調整可能にする光ピックアップ装置ＨＲとなる。
【００５９】
第１チャック部Ｈ１と第２チャック部Ｈ２とを接離自在に構成する方法は特に限定されない。例えば、バネ材を用いて連結することで、第１チャック部Ｈ１と第２チャック部Ｈ２とを接触状態に保持する構成として、第１チャック部Ｈ１と第２チャック部Ｈ２との間隔を一旦広くしてレーザーホルダ２を挟持する構成とすればよい。また、ネジ軸と止めネジを介して第１チャック部Ｈ１と第２チャック部Ｈ２との間隔を調整してネジ固定することにより接離自在としてもよい。
【００６０】
また、第１チャック部Ｈ１は、挟持部Ｈ１１と回転規制部Ｈ１２とを有する。挟持部Ｈ１１は屈曲本体部の先端に係合突部２Ａａに係合する円筒係合部Ｈ１１ａを備えている。すなわち、円筒係合部Ｈ１１ａと第２チャック部Ｈ２とにより、レーザーホルダ２をその上下から挟持する構成となる。また、円錐台状に突出した係合凸部２Ａａに円筒係合部Ｈ１１ａの中央空隙部を嵌め込むように装着して、この中央空隙部から露出している係合溝部２Ａｂに円柱状の回転規制部Ｈ１２の先端部を係合させて、レーザーホルダ２の挟持姿勢を規定する構成である。
【００６１】
図４に示すように、回転規制部Ｈ１２は円筒係合部Ｈ１１ａの中央空隙部に挿通可能な円柱状軸部と、その先端部に形成される断面三角状に尖った先端係合部Ｈ１２ａとを備え、円筒係合部Ｈ１１ａに対して接離自在とされる。例えば、回転規制部Ｈ１２を図中の矢印Ｖ１方向に付勢するバネ部材を介して円筒係合部Ｈ１１ａに装着する。このような構成であれば、断面三角状に尖った先端係合部Ｈ１２ａを係合溝部２Ａｂに押し付ける付勢力が作用するので、先端係合部Ｈ１２ａを容易に、また確実に、係合溝部２Ａｂに係合させることができる。
【００６２】
すなわち、第１チャック部Ｈ１は、係合突部２Ａに係合する円筒係合部Ｈ１１ａと、係合溝部２Ａｂに係合する回転規制部Ｈ１２（先端係合部Ｈ１２ａ）を備え、この構成により、円筒係合部Ｈ１１ａを介して円錐台状に突出した係合凸部に平行に当接して同心円状に位置合わせすると共に上下方向の平行度を出すことができ、回転規制部Ｈ１２を介して（先端係合部Ｈ１２ａを係合溝部に係合させることにより）、この上下方向に直交する平面方向の回転を規制できる。
【００６３】
第２チャック部Ｈ２は、図３に示すように、第２係合部２Ｂの平行凸部２Ｂａ（図８参照）の幅に応じた間隙を有する二股のフォーク部Ｈ２ａ、Ｈ２ｂを備える構成としている。この構成であれば、この光ピックアップ調整装置ＨＲの第２チャック部Ｈ２を平行凸部２Ｂａに容易に差し込むことができる。
【００６４】
また、この差し込み動作が容易に行えるように、それぞれのフォーク部の先端に案内傾斜部Ｈ２ｃを設けておくことが好ましい。
【００６５】
例えば、図７に示すように、レーザーホルダ２の下面２ｂに、平行凸部２Ｂａと先細の案内ガイド部２Ｂｂを備えた第２係合部２Ｂを設ける。すると、この平行凸部２Ｂａを挟むように、この平行凸部２Ｂａの両側に第２チャック部Ｈ２のフォーク部Ｈ２ａ、Ｈ２ｂを差し込んでいく動作によって、上下方向に直交する前後方向の一方向に沿うように位置を合わせて挟持することができる。
【００６６】
すなわち、第２係合部２Ｂは上下方向に直交する前後方向の一方向案内ガイド機能を発揮する。また、レーザーホルダ２の下面２ｂ部を平行に支持する上下方向ガイド機能を発揮する。
【００６７】
このような構成であれば、第１チャック部Ｈ１と第２チャック部Ｈ２を備える光ピックアップ調整装置ＨＲを介して、レーザーホルダ２の上下を挟持することにより、上下方向に加えて、この上下方向に直交する平面方向の回転規制と、前記上下方向に直交する前後方向の規制とを同時に行うことができ、レーザーホルダ２を三次元方向に変位させても、ずれたり滑ったりしないで、容易に、また、確実に調整可能になる。
【００６８】
上記したように、本実施形態に係るレーザーホルダ２と光ピックアップ調整装置ＨＲを用いることにより、スライドベース部材１０に対するレーザー光源ＬＤの取付位置を、三次元方向に調整して固定することができる。また、レーザーホルダ２の上面と下面にそれぞれ第１、第２係合部を設け、光ピックアップ調整装置ＨＲに第１係合部に係合する第１チャック部Ｈ１と第２係合部に係合する第２チャック部Ｈ２を設けることにより、レーザーホルダ２を容易に三次元調整可能なチャッキング機構を構築することができる。
【００６９】
すなわち、本実施形態に係るレーザーホルダによれば、ホルダ本体の上下に設ける第１、第２係合部を光ピックアップ調整装置を介して挟持することにより、上下方向の位置を規制できる。また、第１係合部の回転規制部を介して上下方向に直交する平面方向の回転を規制でき、第２係合部の一方向案内ガイド部を介して上下方向に直交する前後方向の位置ずれを抑制できる。
【００７０】
そのために、従来では、レーザーホルダの一面を、スライドベース部材の基準面に押し付けることにより基準出ししていた位置決め動作が不要になり、レーザー光源を保持したレーザーホルダを把持して三次元方向に自由に調整できる構成となる。すなわち、本発明によれば、三次元方向の位置合わせを容易に行うことを可能にするレーザーホルダを得ることができる。
【００７１】
また、本実施形態に係る光ピックアップ調整装置によれば、第１および第２チャック部を介して、レーザーホルダの上下を挟持することで、上下方向に加えて、この上下方向に直交する平面方向の回転規制と、前記上下方向に直交する前後方向の規制とを同時に行うことができ、レーザーホルダを三次元方向に容易に調整可能にする光ピックアップ装置を得ることができる。
【００７２】
上記したように、本発明によれば、三次元方向の位置合わせを容易に行うことを可能にするレーザーホルダおよび光ピックアップ調整装置を得ることができる。
【産業上の利用可能性】
【００７３】
そのために、本発明に係るレーザーホルダおよび光ピックアップ調整装置は、組立の際に、レーザー光源の配設位置を三次元方向に調整することが求められる光ピックアップに好適に適用することができる。
【符号の説明】
【００７４】
１    光ピックアップ
２    レーザーホルダ
２ａ  上面
２ｂ  下面
２Ａ  第１係合部
２Ａａ  係合凸部
２Ａｂ  係合溝部
２Ｂ  第２係合部
２Ｂａ  平行凸部
２Ｂｂ  案内ガイド部
１０    スライドベース部材
２１    回折光学素子（光学部品）
Ｈ１    第１チャック部
Ｈ１１  挟持部
Ｈ１１ａ  円筒係合部
Ｈ１２  回転規制部
Ｈ２    第２チャック部
ＨＲ    光ピックアップ調整装置
ＬＤ    レーザー光源
【図１Ａ】
2014044763.tif 000003
【図１Ｂ】
2014044763.tif 000004
【図２】
2014044763.tif 000005
【図３】
2014044763.tif 000006
【図４】
2014044763.tif 000007
【図５】
2014044763.tif 000008
【図６】
2014044763.tif 000009
【図７】
2014044763.tif 000010
【図８】
2014044763.tif 000011